(57)【要約】概して、本開示は、濾過デバイスを伴う分析器具を対象とする。１つの可能性として考えられる構成では、非限定的実施例として、濾過デバイスは、サンプルが分注される、チャンバに近接して配列される。種々の側面は、本開示に説明され、限定ではないが、以下の側面を含む。濾過デバイスが、そうでなければサンプル分析デバイスの開口を目詰まりさせ得る、大き過ぎる粒子の通過を遮断するために、分析器具に提供される。濾過デバイスは、混合チャンバに近接して配列されることができる。ある実施例では、濾過デバイスは、混合チャンバの出力ポートにまたはそれに隣接して設置される。
2019501374.tif 000002
【特許請求の範囲】
【請求項１】
分析器具であって、
サンプルを含有するように構成されるサンプル容器と、
入口ポートおよび出口ポートを含むチャンバと、
前記サンプル容器を穿刺し、前記サンプルの少なくとも一部を前記サンプル容器から吸引するように構成されるプローブを含む吸引デバイスであって、前記吸引デバイスは、前記プローブを移動させ、前記プローブを前記チャンバの入口ポートを通して挿入し、前記サンプルの少なくとも一部を前記チャンバの中に分注するように動作可能である、吸引デバイスと、
前記サンプルを分析するように構成されるサンプル分析デバイスと、
前記チャンバの出口ポートに接続され、前記チャンバと前記サンプル分析デバイスとの間の流体連通経路を形成するように構成される流管と、
前記チャンバに近接して固着される濾過デバイスであって、前記濾過デバイスは、大き過ぎる粒子の少なくとも一部がそれを通して通過することを防止する一方、分析されるべき粒子がそれを通して通過することを可能にするように構成され、前記大き過ぎる粒子は、前記吸引デバイスのプローブが前記サンプル容器を穿刺するにつれて、少なくとも部分的に、前記サンプル容器から発生される、濾過デバイスと
を備える、分析器具。
【請求項２】
前記濾過デバイスは、前記チャンバの出口ポートに隣接して前記流管内に配列される、請求項１に記載の分析器具。
【請求項３】
前記濾過デバイスは、前記チャンバの出口ポート内に配列される、請求項２に記載の分析器具。
【請求項４】
前記濾過デバイスは、複数の開口を有する本体を含む、請求項１に記載の分析器具。
【請求項５】
前記濾過デバイスによって遮断される前記大き過ぎる粒子の少なくとも一部は、前記フローセルを目詰まりさせるようなサイズである、請求項１に記載の分析器具。
【請求項６】
分析器具内のサンプルを濾過する方法であって、
濾過デバイスをチャンバに近接して固着するステップであって、前記濾過デバイスは、大き過ぎる粒子の少なくとも一部がそれを通して通過することを防止するように構成される、ステップと、
流管を前記チャンバの出口ポートに接続し、前記チャンバとサンプル分析デバイスとの間の流体連通経路を形成するステップと
を含む、方法。
【請求項７】
濾過デバイスを固着するステップは、流管内の濾過デバイスを前記流管の第１の端部に隣接して固着するステップを含み、
流管を接続するステップは、前記流管の第１の端部を前記チャンバの出口ポートに接続するステップを含む、
請求項６に記載の方法。
【請求項８】
吸引デバイスのプローブでサンプル容器を穿刺するステップであって、前記大き過ぎる粒子は、前記吸引デバイスのプローブが前記サンプル容器を穿刺するにつれて、少なくとも部分的に、前記サンプル容器から発生される、ステップと、
前記サンプルの少なくとも一部を前記サンプル容器から吸引するステップであって、前記サンプルの少なくとも一部は、前記大き過ぎる粒子の少なくとも一部を含む、ステップと、
前記プローブを前記チャンバの入口ポートを通して挿入するステップと、
前記サンプルの少なくとも一部を前記チャンバの中に分注するステップと、
前記サンプルの少なくとも一部を前記チャンバから前記サンプル分析デバイスに前記濾過デバイスを通して供給するステップと
をさらに含む、請求項６に記載の方法。
【請求項９】
流体を前記チャンバに逆方向に供給し、前記チャンバを清掃し、前記濾過デバイスによって捕捉される大き過ぎる粒子を除去するステップをさらに含む、請求項６に記載の方法。
【請求項１０】
血液学分析器内のサンプルを濾過するための濾過デバイスであって、
複数の開口を有するプレートであって、前記複数の開口は、大き過ぎる粒子の少なくとも一部がそれを通して通過することを防止する一方、分析されるべき粒子がそれを通して通過することを可能にするように構成され、前記大き過ぎる粒子は、吸引デバイスが前記サンプル容器を穿刺するにつれて、少なくとも部分的に、サンプル容器から発生され、前記プレートは、チャンバの出口ポートに近接して固着されるように構成される、プレート
を備える、濾過デバイス。
【請求項１１】
前記プレートは、前記チャンバの出口ポートに隣接して流管内に固着され、前記流管は、前記チャンバとフローセルとの間の流体連通を形成する、請求項１０に記載の濾過デバイス。
【請求項１２】
前記プレートは、前記チャンバの出力ポートの端部に固着される、請求項１０に記載の濾過デバイス。
【請求項１３】
前記プレートは、前記チャンバ内に設置される、請求項１２に記載の濾過デバイス。
【請求項１４】
分析器具内のサンプルを濾過するためのシステムであって、
チャンバの出口ポートに嵌合し、前記チャンバとサンプル分析デバイスとの間の流体連通経路を形成するように構成される流管と、
前記チャンバに近接して配列される濾過デバイスであって、前記濾過デバイスは、大き過ぎる粒子の少なくとも一部がそれを通して通過することを防止する一方、分析されるべき粒子がそれを通して通過することを可能にするように構成され、前記大き過ぎる粒子は、吸引デバイスが前記サンプル容器を穿刺し、前記サンプルの少なくとも一部を前記サンプル容器から吸引するにつれて、少なくとも部分的に、サンプル容器から発生される、濾過デバイスと
を備える、システム。
【請求項１５】
前記濾過デバイスは、前記チャンバの出口ポートに隣接して前記流管内に配列される、請求項１４に記載のシステム。
【請求項１６】
前記濾過デバイスは、前記チャンバの出口ポート内に配列される、請求項１４に記載のシステム。
【請求項１７】
前記濾過デバイスは、複数の開口を有する本体を含む、請求項１４に記載のシステム。
【発明の詳細な説明】
【背景技術】
【０００１】
本願は、ＰＣＴ国際特許出願として２０１６年１１月１７日に出願され、米国仮特許出願第６２／２５７，０３１号（出願日２０１５年１１月１８日）に対する優先権の利益を主張するものであり、その全開示は、全体が参照により本明細書中に援用される。
【０００２】
血液学分析器は、流体（例えば、血液サンプル）中に含有される粒子（例えば、血液細胞）の異なる種類および特性を識別する、自動化された機械である。例えば、血液学分析器は、血液サンプル中の異なる種類の血液細胞の数をカウントするように動作する。
【０００３】
ある実施例では、血液学分析器は、電気インピーダンス法、光散乱法、および／または蛍光性色素を使用して細胞タイプを区別する方法等、いくつかのタイプのフローサイトメトリ技法を使用することができる。いくつかの血液学分析器は、それが生じさせる電気インピーダンスの程度またはそれが実証する光散乱パターンのタイプのいずれかによって判定され得る、その特定のサイズまたは形状に基づいて、単一細胞を分類するように構成される。他の血液学分析器は、蛍光性色素を使用して分類され得る、その生化学または抗原性質によって、単一細胞を識別することができる。
【０００４】
いくつかの血液学分析器は、サンプル粒子が、フローセル内の小開口を通して通過することを可能にするように構成される。ある実施例では、コアリング粒子等の異質粒子は、フローセル内の開口の中に、サンプル粒子とともに流動する。そのような異質粒子は、フローセル内の開口を目詰まりさせるために十分に大きく、それによって、フローセルの動作を遅延または停止させ得る。
【発明の概要】
【課題を解決するための手段】
【０００５】
概して、本開示は、濾過デバイスを伴う分析器具を対象とする。１つの可能性として考えられる構成では、非限定的実施例として、濾過デバイスは、サンプルが分注される、チャンバに近接して配列される。種々の側面は、本開示に説明され、限定ではないが、以下の側面を含む。
【０００６】
一側面は、サンプル容器と、チャンバと、吸引デバイスと、サンプル分析デバイスと、流管と、濾過デバイスとを含む、分析器具である。サンプル容器は、サンプルを含有する。チャンバは、入口ポートと、出口ポートとを含む。吸引デバイスは、サンプル容器を穿刺し、サンプルの少なくとも一部をサンプル容器から吸引するように構成される、プローブを含む。吸引デバイスは、プローブを移動させ、プローブをチャンバの入口ポートを通して挿入し、サンプルの少なくとも一部をチャンバの中に分注するように動作可能である。サンプル分析デバイスは、サンプルを分析するように構成される。流管は、チャンバの出口ポートに接続され、チャンバとサンプル分析デバイスとの間の流体連通経路を形成するように構成される。濾過デバイスは、チャンバに近接して固着される。濾過デバイスは、大き過ぎる粒子の少なくとも一部がそれを通して通過することを防止する一方、分析されるべき粒子がそれを通して通過することを可能にするように構成され、大き過ぎる粒子は、吸引デバイスのプローブがサンプル容器を穿刺するにつれて、少なくとも部分的に、サンプル容器から発生される。
【０００７】
別の側面は、分析器具内のサンプルを濾過する方法である。本方法は、濾過デバイスをチャンバに近接して固着するステップであって、濾過デバイスは、大き過ぎる粒子の少なくとも一部がそれを通して通過することを防止するように構成される、ステップと、流管をチャンバの出口ポートに接続し、チャンバとサンプル分析デバイスとの間の流体連通経路を形成するステップとを含む。
【０００８】
さらに別の側面は、血液学分析器内のサンプルを濾過するための濾過デバイスである。濾過デバイスは、大き過ぎる粒子の少なくとも一部がそれを通して通過することを防止する一方、分析されるべき粒子がそれを通して通過することを可能にするように構成される、複数の開口を有する、プレートを含む。大き過ぎる粒子は、吸引デバイスがサンプル容器を穿刺するにつれて、少なくとも部分的に、サンプル容器から発生される。プレートは、チャンバの出口ポートに隣接して固着されるように構成される。ある実施例では、プレートは、チャンバの出口ポートに隣接して流管内に固着される。流管は、チャンバとフローセルとの間の流体連通を形成する。ある実施例では、プレートは、チャンバの出力ポートの端部に固着される。
【０００９】
さらに別の側面は、分析器具内のサンプルを濾過するためのシステムである。本システムは、チャンバの出口ポートに嵌合し、チャンバとサンプル分析デバイスとの間の流体連通経路を形成するように構成される、流管と、チャンバに近接して配列される、濾過デバイスとを含む。濾過デバイスは、大き過ぎる粒子の少なくとも一部がそれを通して通過することを防止する一方、分析されるべき粒子がそれを通して通過することを可能にするように構成される。大き過ぎる粒子は、吸引デバイスがサンプル容器を穿刺し、サンプルの少なくとも一部をサンプル容器から吸引するにつれて、少なくとも部分的に、サンプル容器から発生される。
【図面の簡単な説明】
【００１０】
【図１】図１は、濾過デバイスを含む、例示的器具の概略ブロック図である。
【００１１】
【図２】図２は、器具を動作させるための例示的方法のフローチャートである。
【００１２】
【図３】図３は、例示的サンプル容器を図示する。
【００１３】
【図４】図４は、例示的サンプル吸引システムの概略ブロック図である。
【００１４】
【図５】図５は、図４のサンプル吸引システムの概略ブロック図であって、プロービングデバイスが混合チャンバとともに配列されることを図示する。
【００１５】
【図６】図６は、例示的混合チャンバを図式的に図示する。
【００１６】
【図７】図７は、例示的サンプル分析システムを図示する、概略ブロック図である。
【００１７】
【図８】図８は、濾過デバイスを含む、例示的濾過システムを図式的に図示する。
【００１８】
【図９】図９は、濾過システムの例示的動作を図示する。
【００１９】
【図１０】図１０は、フィルタシステムを据え付けるための例示的方法を図示する、フローチャートである。
【００２０】
【図１１】図１１は、例示的濾過デバイスを図式的に図示する。
【００２１】
【図１２】図１２は、例示的濾過デバイスの正面図である。
【００２２】
【図１３】図１３は、図１２に示される断面Ａ−Ａに沿って得られた例示的濾過デバイスの断面側面図である。
【００２３】
【図１４】図１４は、例示的流管の概略斜視図である。
【００２４】
【図１５】図１５は、流管の長さに沿って得られた図１４の流管の断面図である。
【００２５】
【図１６】図１６は、別の例示的流管の概略斜視図である。
【００２６】
【図１７】図１７は、流管の長さに沿って得られた図１６の流管の断面図であって、第２の端部継手を図示する。
【００２７】
【図１８】図１８は、濾過デバイスを含む、濾過システムの別の実施例を図式的に図示する。
【発明を実施するための形態】
【００２８】
種々の実施形態が、図面を参照して詳細に説明されるであろうが、同様の参照番号は、いくつかの図全体を通して、同様の部品およびアセンブリを表す。種々の実施形態の参照は、本明細書に添付された請求項の範囲を限定するものではない。加えて、本明細書に記載される任意の実施例は、限定ではなく、単に、添付の請求項に関する多くの可能性として考えられる実施形態のうちのいくつかを記載することを意図するものである。
【００２９】
一般に、血液学分析器等の分析器具は、流体が小開口を含む流体回路を通して流動することを可能にするように動作する。いくつかの分析器具では、サンプル流体は、サンプル分析デバイス（例えば、フローセル）の小開口を通して通過される。開口は、サンプル流体の内容物が評価され得るように、一度にそれを通して通過させ得る粒子（例えば、血液細胞）の数を低減させる（すなわち、粒子を単一列で通過させる）ように定寸されることができる。開口が非常に小さいため、大き過ぎる粒子によって目詰まりを受けやすく、これは、フローセルの開口を遮断し得る。例えば、サンプルが、開口の断面を上回るサイズの任意の粒子または粒子の凝集を含有する場合、開口は、目詰まりし、それによって、器具の動作を遅延または停止させ得る。大き過ぎる粒子のいくつかの実施例は、サンプル容器が針によって穿刺されるときにサンプル容器から発生される、冠着残骸等の汚染物質である。
【００３０】
本開示は、分析器具のための濾過デバイスを説明する。濾過デバイスは、そうでなければフローセル等のサンプル分析デバイスの開口を目詰まりさせ得る、大き過ぎる粒子の通過を遮断し、それによって、サンプル分析デバイスの目詰まりの機会を低減または排除するように構成される。濾過デバイスは、種々の血液学システムのために使用される。一例として、濾過デバイスは、開放吸引回路と併用され、少なくとも１つの開放混合チャンバ（例えば、それを通して吸引プローブが、延在し、サンプルをチャンバの中に分注する、入口を伴う、混合チャンバ）が、サンプルをサンプル分析デバイスに供給するために使用される。いくつかの実施形態では、濾過デバイスは、混合チャンバに近接して配列される。濾過デバイスは、混合チャンバの出力ポートにまたはそれに隣接して設置されることができる。例えば、濾過デバイスは、濾過デバイスがチャンバの出口ポートの直後に位置するように、チャンバの出口ポートに接続される流管内に固着される。他の実施例では、濾過デバイスは、チャンバ内のチャンバの出口ポートの端部に固着される。
【００３１】
図１は、濾過デバイス１０２を含む、例示的器具１００の概略ブロック図である。本実施例では、器具１００は、サンプル源１１０と、サンプル吸引プローブ１１２と、サンプル吸引システム１１４と、サンプル調製システム１１６と、分配システム１１８と、サンプル分析システム１２０と、廃棄物管理システム１２２と、制御システム１２４とを含む、血液学分析器である。器具１００の他の実施形態は、サンプル流体を分析するための他のタイプの機器であることができる。
【００３２】
いくつかの実施形態では、器具１００は、血液サンプル中の異なる細胞の集団を検出するように構成される。器具１００によって提供される結果は、集合的に、全血球数（ＣＢＣｓ）または細胞の区別を伴う全血球数（区別を伴うＣＢＣ）として知られ得る。他の実施形態では、器具１００は、赤血球（ＲＢＣ）数、ＲＢＣ中のヘモグロビン、ヘマトクリットレベル、血小板数、血球データ、および５つの異なるタイプの白血球数を提供することができる。さらに他の実施形態では、器具１００は、具体的診断を確認するために必要である、有核赤血球数（ＮＲＢＣ）を測定するように構成される。
【００３３】
器具１００は、種々の血液学分析器と関連付けられる、またはその中に実装されることができ、サンプル管が、チャンバの中に穿刺および分注される。器具１００は、ストッパ（例えば、図２では、キャップ１５２）を穿刺し、サンプルを流体経路の中に得るように動作する、任意の他の血液学分析器と併用されることができる。
【００３４】
器具１００は、サンプル分析システム１２０の開口３２０（図７）を通して流体１３２を送達する、流体回路１３０を含む。以下に説明されるように、開口３２０は、サンプル中に含有される大き過ぎる粒子によって目詰まりし得る、低減されたサイズを有する。濾過デバイス１０２は、サンプル調製システム１１６内の混合チャンバ１４０の下流に位置付けられ、大き過ぎる粒子（例えば、コアリング粒子、粉塵、および残骸）の通過を遮断し、それによって、サンプル分析システム１２０を目詰まりから保護する。例えば、濾過デバイス１０２は、混合チャンバ１４０の出口にまたはそれに隣接して配置される。
【００３５】
サンプル源１１０は、サンプル分析システム１２０内で分析されるべき流体１３２（また、サンプルと称される）を提供する。本実施例では、サンプル源１１０は、血液サンプルまたは試料である。サンプル源１１０は、サンプル１３２を含有する、サンプル容器１３４を含む。サンプル容器１３４の実施例は、試験管を含む。他のレセプタクルまたはバイアルも、他の実施形態では、サンプル容器１３４として使用されることができる。サンプル容器１３４の実施例は、図３を参照してより詳細に説明および図示される。
【００３６】
サンプル吸引プローブ１１２は、いくつかの実施形態では、サンプル源１１０の中に延在し、サンプルをサンプル源１１０から吸引し、サンプルをサンプル調製システム１１６に分注するために提供される。いくつかの実施形態では、サンプル吸引プローブ１１２は、それを通してサンプルがサンプル源１１０から受容され得る、１つまたはそれを上回る開口をその中に含む、針として構成される。
【００３７】
サンプル吸引システム１１４は、サンプルをサンプル源１１０から吸引し、サンプルを流体回路１３０に沿ってサンプル源１１０からサンプル調製システム１１６に送達するように配列および構成される。サンプル吸引システム１１４のより詳細な実施例は、図４を参照して図示および説明される。
【００３８】
サンプル調製システム１１６は、サンプル源１１０からのサンプルおよび他の源からの他の流体（試薬および希釈剤等）を受容し、それらを選択的に混合し、試験流体を調製するように動作する。サンプル調製システム１１６は、少なくとも１つの流管１３６を使用して、サンプル分析システム１２０と流体連通する。サンプル調製システム１１６は、試験流体をサンプル分析システム１２０に流管１３６を通して供給する。いくつかの実施形態では、分配システム１１８は、複数の混合チャンバ１４０とサンプル分析システム１２０との間の選択的接続のために、サンプル調製システム１１６とサンプル分析システム１２０との間に配置される。
【００３９】
いくつかの実施形態では、サンプル調製システム１１６は、サンプルと１つまたはそれを上回る他の流体を混合するために、少なくとも１つの混合チャンバ１４０を含む。混合チャンバ１４０は、それを通してサンプル吸引プローブ１１２が、延在し、サンプルを混合チャンバの中に分注する、入口１４２を有する。混合チャンバ１４０が、入口１４２を通して開放されるため、本タイプの混合チャンバ１４０は、本明細書では、開放混合チャンバと称され得る。混合チャンバ１４０は、直接または分配システム１１８を介してのいずれかにおいて、流管１３６を通して、サンプル分析システム１２０と流体連通することができる。
【００４０】
本明細書に説明されるように、サンプル調製システム１１６は、そうでなければサンプル分析システム１２０を目詰まりさせるであろう、大き過ぎる粒子の通過を遮断するように構成される、濾過デバイス１０２を含む。いくつかの実施形態では、濾過デバイス１０２は、混合チャンバ１４０の下流であって、かつ分配システム１１８の上流である場所に配置される。いくつかの実施例では、濾過デバイス１０２は、チャンバ１４０の出口１４４に嵌合する、流管１３６の端部にまたはそれに隣接して、流管１３６内に固着される。他の実施例では、濾過デバイス１０２は、チャンバ１４０の出口１４４に配置される。濾過デバイス１０２の実施例は、図８を参照してより詳細に図示および説明される。
【００４１】
いくつかの実施形態では、サンプル調製システム１１６は、異なる目的のために、複数の混合チャンバ１４０を含む。いくつかの実施形態では、混合チャンバ１４０は、４つの混合チャンバを含む。例えば、第１の混合チャンバは、有核赤血球（ＮＲＢＣ）を分析するために（例えば、ＮＲＢＣ集団の分析のために）、試験流体またはサンプル（例えば、ＮＲＢＣサンプル）を調製するために使用される。第２の混合チャンバは、白血球分画を分析するために（例えば、血液中に存在する各タイプの白血球のパーセンテージの測定のために）、試験流体またはサンプル（例えば、分画サンプル）を調製するために使用される。第３の混合チャンバは、網状赤血球数を分析するために（例えば、血液中の網状赤血球のパーセンテージの測定のために）、試験流体またはサンプル（例えば、網状赤血球サンプル）を調製するために使用される。第４の混合チャンバは、染料および血液混合物のために使用される。他の実施形態では、異なる数のチャンバ１４０が、異なる動作のために提供される。
【００４２】
いくつかの実施形態では、サンプル調製システム１１６は、第１、第２、および第３の混合チャンバのための温度制御環境ならびに空気ジェット混合のために使用される流入試薬および空気を提供するように構成される、熱交換ブロック（本明細書では、温度制御ブロックとも称される）を含む。熱交換ブロックは、鋳造アルミニウムから作製されることができる。温度制御ブロックは、混合チャンバと関連付けられた複数の空気および試薬ポートを含む。第４の混合チャンバは、セラミック本体を有することができ、外部加熱器およびサーミスタ要素と嵌合される。サンプル調製システム１１６はさらに、それぞれ、混合チャンバと関連付けられる、複数の弁（例えば、ソレノイド弁）を含むことができる。
【００４３】
分配システム１１８は、試験流体をサンプル調製システム１１６からサンプル分析システム１２０に分配するように動作する。分配システム１１８はまた、希釈剤液を混合チャンバ１４０に指向し、次いで、廃棄物管理システム１２２に指向するように動作することができる。いくつかの実施形態では、分配システム１１８は、流体をサンプル調製システム１１６内の異なる混合チャンバ１４０からサンプル分析システム１２０に選択的に指向するように動作可能である、弁システムを含む。分配システム１１８はまた、混合チャンバ１４０毎に逆流および清掃プロセスのための流体を指向することができる。
【００４４】
弁システムのいくつかの実施形態は、２つのセラミックパッドを有する、面シール弁を含み、そのうちの一方は、定常のままであって、他方は、異なる混合チャンバ１４０からサンプル分析システム１２０に分配経路間で切り替えるために、間隔を空けて回転する。
【００４５】
サンプル分析システム１２０は、そこに給送される試験流体を分析するように動作する。サンプル分析システム１２０の実施例は、図７を参照して図示および説明される。
【００４６】
廃棄物管理システム１２２は、任意の残りの流体を１つまたはそれを上回る混合チャンバ１４０から排出するように動作する。いくつかの実施形態では、流体回路１３０は、廃棄物管理システム１２２で終端し、そこでサンプルは、後続使用または廃棄のために収集および貯蔵される。
【００４７】
制御システム１２４は、器具１００の動作を制御し、サンプルの内容物を分析するように動作する。いくつかの実施形態では、制御システム１２４は、サンプル吸引システム１１４、サンプル調製システム１１６、およびサンプル分析システム１２０、および廃棄物管理システム１２２を制御するように動作する。
【００４８】
図２は、器具１００を動作させるための例示的方法２００のフローチャートである。いくつかの実施形態では、方法２００は、動作２０２、２０４、２０６、２０８、２１０、２１２、２１４、および２１６を含む。いくつかの実施形態では、動作２０２、２０４、２０６、２０８、および２１０は、サンプル吸引システム１１４によって行われ、動作２１２は、サンプル調製システム１１６によって行われ、動作２１４は、サンプル分析システム１２０によって行われ、動作２１６は、廃棄物管理システム１２２によって行われる。
【００４９】
動作２０２では、器具１００（例えば、サンプル吸引システム１１４）は、サンプル吸引プローブ１１２でサンプル容器１３４を穿刺するように動作する。サンプル吸引システム１１４は、サンプル容器１３４のキャップ１５２（図３）を穿刺し、サンプル吸引プローブ１１２をサンプル容器１３４の中に延在させるように動作することができる。
【００５０】
動作２０４では、器具１００（例えば、サンプル吸引システム１１４）は、サンプルをサンプル容器からサンプル吸引プローブ１１２を通して吸引するように動作する。
【００５１】
動作２０６では、器具１００（例えば、サンプル吸引システム１１４）は、サンプル吸引プローブ１１２をサンプル調製システム１１６に隣接するように移動させる。いくつかの実施形態では、サンプル吸引システム１１４は、サンプル吸引プローブ１１２を混合チャンバ１４０の上方（例えば、混合チャンバ１４０の入口１４２の上方）に移動させる。
【００５２】
動作２０８では、器具１００（例えば、サンプル吸引システム１１４）は、サンプル吸引プローブ１１２を混合チャンバ１４０の中に挿入するように動作する。
【００５３】
動作２１０では、器具１００（例えば、サンプル吸引システム１１４）は、吸引されたサンプルを混合チャンバ１４０の中に分注するように動作する。
【００５４】
動作２１２では、器具１００（例えば、サンプル調製システム１１６）は、サンプルを混合チャンバ１４０からサンプル分析システム１２０に濾過デバイス１０２を通して供給するように動作する。サンプルを供給する前に、サンプル調製システム１１６は、１つまたはそれを上回る他の流体を受容し、それらをサンプル源１１０からのサンプルと混合し、試験流体を混合チャンバ１４０内で生産する。サンプル調製システム１１６は、次いで、試験流体を混合チャンバ１４０からサンプル分析システム１２０に供給する。
【００５５】
動作２１４では、器具１００（例えば、サンプル分析システム１２０）は、試験流体（吸引されたサンプルを含む）を分析するように動作する。試験流体を分析する例示的動作は、図７を参照して図示および説明される。
【００５６】
動作２１６では、器具１００（例えば、廃棄物管理システム１２２）は、残りの試験流体をサンプル調製システム１１６（例えば、混合チャンバ１４０）から排出し、次のサイクルのためにサンプル調製システム１１６を清掃するように動作する。
【００５７】
図３は、例示的サンプル容器１３４を図示する。いくつかの実施形態では、サンプル容器１３４は、容器本体１５０と、キャップ１５２とを含む。容器本体１５０は、サンプルを含有するために好適な管、バイアル、または任意の他のレセプタクルである。容器本体１５０は、開口部をその上部に有し、これは、キャップ１５２（本明細書では、ストッパまたはカバーとも称される）で密閉して被覆される。キャップ１５２は、ゴム、コルク、または他のプラスチックから作製され、サンプル吸引プローブ１１２によって穿刺されるように構成されることができる。キャップ１５２が、サンプル吸引プローブ１１２によって穿刺され、コアリング粒子（例えば、キャップ１５２の断片または屑）が、キャップ１５２から発生され、サンプル中に汚染物質として含まれ得る。コアリング粒子は、キャップ残骸を含み、典型的には、サンプル分析システム１２０を目詰まりさせ得る、大き過ぎる粒子である。コアリング粒子は、サンプル中に含まれ、サンプルとともに、サンプル吸引プローブ１１２を通して吸引され得る。したがって、サンプルおよびコアリング粒子は、ともに混合チャンバの中に分注されるであろう。さらに、コアリング粒子は、サンプル吸引プローブ１１２がサンプル容器のキャップまたはストッパを穿刺するとき、サンプル吸引プローブ１１２の外側に粘着し得、次いで、サンプル吸引プローブ１１２が、混合チャンバの中に挿入され、吸引されたサンプルを分注するとき、混合チャンバに侵入し得る。コアリング粒子を含む、大き過ぎる粒子は、図９を参照してより詳細に図示および説明される。
【００５８】
図４および５を参照すると、サンプル吸引プローブ１１２を含む、サンプル吸引システム１１４の実施例が、説明される。
【００５９】
図４は、例示的サンプル吸引システム１１４の概略ブロック図である。いくつかの実施形態では、サンプル吸引システム１１４は、プロービングデバイス２３０と、吸引シリンジポンプ２３２と、プローブ駆動システム２３４とを含む。
【００６０】
サンプル吸引システム１１４は、サンプル容器１３４を位置特定、照合、および穿刺するように動作する。サンプル吸引システム１１４はさらに、サンプルをサンプル容器１３４から吸引し、サンプルを混合チャンバ１４０のいずれかまたは全ての中に分注するように動作する。サンプル吸引システム１１４はさらに、一定分量のサンプルを染料チャンバから吸引するように動作することができる。
【００６１】
プロービングデバイス２３０は、サンプル吸引プローブ１１２を含み、サンプル吸引プローブ１１２のためのアセンブリを支持する。
【００６２】
吸引シリンジポンプ２３２は、所定の量において、サンプルをサンプル容器１３４から吸引し、サンプルの少なくとも一部を混合チャンバ１４０のうちの１つまたはそれを上回るものに分注するように動作する。
【００６３】
プローブ駆動システム２３４は、必要に応じて、プロービングデバイス２３０を移動させるように動作する。いくつかの実施形態では、プローブ駆動システム２３４は、垂直駆動アセンブリ２３６と、水平駆動アセンブリ２３８とを含む。
【００６４】
垂直駆動アセンブリ２３６は、プロービングデバイス２３０をサンプル容器１３４および混合チャンバ１４０に対して垂直に移動させる。例えば、垂直駆動アセンブリ２３６は、プロービングデバイス２３０をサンプル容器１３４の上方で上下（例えば、方向Ｄ１）に駆動させ、サンプルをそこから吸引し、混合チャンバ１４０の上方で上下（例えば、方向Ｄ１）に駆動させ、吸引されたサンプルを混合チャンバ１４０の中に分注する。
【００６５】
水平駆動アセンブリ２３８は、サンプルをサンプル容器１３４から吸引し、サンプルの少なくとも一部を混合チャンバ１４０のうちの１つまたはそれを上回るものに分注するための適切な場所まで、垂直駆動アセンブリ２３６を水平（例えば、方向Ｄ２）に移動させる。
【００６６】
図４を参照すると、プローブ駆動システム２３４は、プロービングデバイス２３０をサンプル容器１３４の上方に移動させる。プローブ駆動システム２３４は、プロービングデバイス２３０を降下させ、サンプル容器１３４のキャップ１５２を穿刺し、サンプルをそこから吸引するように動作することができる。いったんサンプルが吸引されると、プローブ駆動システム２３４は、プロービングデバイス２３０がサンプル容器１３４から離れるまで、プロービングデバイス２３０を上昇させるように動作する。
【００６７】
図５は、図４のサンプル吸引システム１１４の概略ブロック図であって、プロービングデバイス２３０は、混合チャンバ１４０とともに配列される。いったんサンプルが、図４に図示されるように吸引されると、プローブ駆動システム２３４は、プロービングデバイス２３０が混合チャンバ１４０の上方に位置付けられるまで、プロービングデバイス２３０を水平に移動させることができる。プローブ駆動システム２３４は、次いで、吸引シリンジポンプ２３２がサンプルの少なくとも一部を混合チャンバ１４０に分注するように、プロービングデバイス２３０を降下させ、サンプル吸引プローブ１１２をチャンバ１４０の中に入口１４２を通して挿入することができる。いったんサンプルが、混合チャンバ１４０に分注されると、プローブ駆動システム２３４は、プロービングデバイス２３０を移動させ、サンプルを別の混合チャンバ１４０の中に分注するか、または、別のサンプルをサンプル容器１３４から吸引するためにプロービングデバイス２３０をサンプル容器１３４に戻すように動作することができる。
【００６８】
再び図４および５を参照すると、垂直駆動アセンブリ２３６のいくつかの実施形態は、プロービングデバイス２３０を垂直ガイドレールに沿って垂直に駆動するためのモータを含む。垂直駆動アセンブリ２３６はさらに、プロービングデバイスの場所を検出するためのセンサを含むことができる。
【００６９】
いくつかの実施形態では、水平駆動アセンブリ２３８は、垂直駆動アセンブリ２３６を支持プレートに対して水平に駆動するためのモータを含む。水平駆動アセンブリ２３８はさらに、垂直駆動アセンブリ２３６をそれに沿って支持および誘導するための１つまたはそれを上回るガイドロッドを含むことができる。モータは、垂直駆動アセンブリ２３６に駆動ベルトを通して接続されることができ、駆動ベルトは、モータ出力の回転を垂直駆動アセンブリ２３６の線形移動に変換する。
【００７０】
図６は、例示的混合チャンバ１４０を図式的に図示する。いくつかの実施形態では、サンプル入口１４２およびサンプル出口１４４に加え、混合チャンバ１４０は、複数の入口ポート３０２および排出出口３０４を含む。
【００７１】
混合チャンバ１４０（混合チャンバ２７０、２７２、２７４、および２７６を含む）は、サンプルをサンプル源１１０から受容し、異なるタイプの分析に特異的な異なる希釈剤を調製し、サンプル分析システム１２０に調製されたサンプルを移送するために使用され、次いで、該サンプル分析システム１２０は、調製されたサンプルを感知し、サンプルデータを発生させるように動作する。
【００７２】
入口ポート３０２は、関連付けられた混合チャンバ１４０内で調製された希釈剤毎に要求される、試薬または他の流体を受容するように構成される、ポートを含む。いくつかの実施形態では、入口ポート３０２は、加圧された空気ジェットを混合チャンバ１４０の中にそれを通して受容するように構成される、空気ジェットポートを含む。空気ジェットポートを通して通過する、加圧された空気ジェットは、血液および試薬混合物を転動させる、３次元空気流パターンを発生させる。他の実施形態では、混合チャンバ１４０は、加圧された空気ジェットの使用にかかわらず、血液および試薬を混合するように震盪される。
【００７３】
排出出口３０４は、最終的には、廃棄物管理システム１２２と流体連通する。排出出口３０４は、廃棄物を混合チャンバ１４０から廃棄物管理システム１２２の中に排出するために使用される。
【００７４】
図７は、例示的サンプル分析システム１２０を図示する、概略ブロック図である。
【００７５】
本実施例では、サンプル分析システム１２０は、フローセル３１０と、シース流体源３１２と、レーザ３１４と、センサ分析器３１８を含む取得デバイス３１６とを含む。
【００７６】
フローセル３１０（また、測定チャンバと称される）は、サンプル中に含有される大き過ぎる粒子によって目詰まりされ得る、開口３２０を含む。流体回路１３０は、開口３２０においてより狭くなり、各粒子が評価されるように、一度に開口３２０を通して通過する粒子の数を低減させようと試みる。
【００７７】
シース流体源３１２が、いくつかの実施形態では、提供される。シース流体源３１２は、シース流体をフローセル３１０に供給し、そこで、サンプルと混合される。いくつかの実施形態では、シース流体源はまた、逆流流体として使用され、流体回路１３０を清掃し、閉じ込められた粒子を濾過デバイス１０２から除去する。
【００７８】
図７に描写されるように、フローセル３１０は、サンプルを混合チャンバ１４０のうちの１つから分配システム１１８を介して受容する。いくつかの実施形態では、サンプルは、開口３２０を通して流動し、サンプル流をレーザ３１４からのレーザビームで照明することによって分析される。取得デバイス３１６は、レーザビームが粒子によって散乱される方法等、センサ分析器３１８を使用して、サンプルの特性を検出する。
【００７９】
いくつかの実施形態では、制御システム１２４は、信号および／またはデータを取得デバイス３１６から受信し、ユーザと相互作用し、サンプル中の粒子の特性に関連するデータを表示するように動作する。
【００８０】
図８は、濾過デバイス１０２を含む、例示的濾過システム４００を図式的に図示する。本実施例では、濾過システム４００は、サンプル分析システム１２０を目詰まりさせ得る、大き過ぎる粒子の通過を遮断するように構成される。
【００８１】
濾過システム４００は、混合チャンバ１４０の直後に配列される。いくつかの実施形態では、濾過デバイス１０２は、混合チャンバ１４０の出口１４４に隣接して配列されるように、流管１３６内に固着される。他の実施形態では、濾過デバイス１０２は、混合チャンバ１４０の出口１４４を画定する、混合チャンバ１４０の出口ポート４０２内に固着される。
【００８２】
いくつかの実施形態では、濾過システム４００は、ＮＲＢＣサンプルを調製するための混合チャンバ（例えば、第１の混合チャンバ２７０）のために提供される。他の実施形態では、濾過システム４００は、他のタイプの混合チャンバ１４０（例えば、第２、第３、および／または第４の混合チャンバ２７２、２７４、および２７６）のために提供されることができる。
【００８３】
流体路に進入する、コアリング粒子等の異質粒子を低減させるために、多くの器具は、プローブの外側コーティングの改変、プローブの表面粗度の改変、または異なるプローブ幾何学形状の使用等、種々の技法を採用している。いくつかの例示的器具は、コアリング粒子の生成を低減させるために、特殊コーティングをその上に伴い、二重管腔通気プローブを使用する。他の器具は、下向きに配向されたキャップまたはストッパを伴う、傾斜様式でサンプル容器のキャップを穿刺し、サンプルを閉鎖されたシステムの中に吸引することによって、コアリング粒子を低減させる。さらに他の器具は、閉鎖されたバイアルを穿刺するためのアセンブリを使用し、次いで、サンプルを吸引するための別のアセンブリを使用する。これらのアプローチは、プローブの表面仕上げおよび／または幾何学形状に依拠することによって、コアリング粒子を低減させている。しかしながら、これらのアプローチは、プローブの摩耗寿命に依存する。プローブがより多くの管を穿刺するにつれて、コアリング粒子のサイズおよび数は、変化し得る。例えば、傾斜ストッパ穿刺方略は、新しいコアリング粒子がサンプル流体経路に進入することを緩和することができる。しかしながら、そのような緩和は、ストッパが穿刺されたこれまでの回数および管内のコアリング粒子の数に限定される。さらに、穿刺アセンブリおよび吸引アセンブリを別個に使用するシステムは、残骸をサンプル経路から取り除くために、より多くの空間およびより多数の部品を要求する、複雑な機械的アセンブリを必要とする。
【００８４】
本開示による濾過システム４００は、粒子がサンプルの中にすでに導入された後、大き過ぎる粒子（例えば、コアリング粒子等の異質粒子または汚染物質）を篩い分けることを可能にする。上記に説明される他のアプローチとは対照的に、濾過システム４００は、吸引プローブの条件にかかわらず、単純機構を用いて作製される。
【００８５】
さらに、濾過システム４００が、可能な限りサンプル源１１０に近接してサンプル分析システム１２０の上流に設置されるため、大き過ぎる粒子は、流体経路に沿って可能な限り早期に篩い分けられることができ、したがって、異質粒子が器具１００内の流体経路を汚染する程度を低減させる。
【００８６】
濾過システム４００の設置は、本明細書に説明されるように、さらに、濾過デバイス１０２によって捕捉される大き過ぎる粒子を除去し、次のサンプルサイクルのために流体路を一掃するために、診断または清掃サイクルの間、濾過デバイス１０２が逆流されることを可能にする。故に、濾過システム４００を伴う器具１００は、器具１００の目詰まりに対処するために、または、器具１００から篩い分けられた大き過ぎる粒子を一掃するために、分析プロセスが中断するオフラインモードに切り替えられる必要がない。したがって、濾過システム４００を伴う器具１００は、ユーザ介入を要求する、オフライン条件に入る機会を低減させる。濾過デバイス１０２の場所は、本明細書に説明されるように、管類アセンブリ（例えば、図８および９）または混合チャンバ（例えば、図１８）の一部として容易な交換を可能にする。濾過システム４００の配列はさらに、目詰まりの前に大量の残骸を捕捉するために使用され得る、より大きい開放面積を提供する。対照的に、インライン濾過デバイスを含む、他の濾過システムは、サンプルラインの直径に限定される濾過面積を提供し、それによって、目詰まりをすぐにもたらす。そのようなインライン濾過システムに優る濾過システム４００の他の利点は、サンプルがフローセル内のフィルタの下流で分析を受けるサイクル間に、フィルタを洗浄する能力を含む。
【００８７】
図９は、濾過システム４００の例示的動作を図示する。上記に説明されるように、濾過システム４００は、試験流体４１０中に含有される大き過ぎる粒子の通過を遮断するように構成される、濾過デバイス１０２を含む。試験流体４１０の大き過ぎる粒子４１２は、サンプル分析システム１２０を通して通過するとき、サンプル分析システム１２０（例えば、フローセル３１０の開口３２０）を目詰まりさせ得る。
【００８８】
混合チャンバ１４０内で調製されるため、試験流体４１０は、サンプル源１１０から提供されるサンプル粒子４１４ならびに汚染物質４１６を含有し得る。いくつかの実施形態では、汚染物質４１６は、サンプル吸引プローブ１１２によって穿刺されるにつれてキャップ１５２から発生される、コアリング粒子４１８を含む。汚染物質４１６はまた、他の源から発生された粉塵または残骸を含むことができる。コアリング粒子４１８を含む、汚染物質４１６は、典型的には、大き過ぎる、すなわち、サンプル分析システム１２０を目詰まりさせるサイズである。いくつかの実施形態では、サンプル粒子４１４の一部は、大き過ぎる、したがって、サンプル分析システム１２０によって試験されるべきではない。濾過デバイス１０２はまた、そのような大き過ぎるサンプル粒子４１４がサンプル分析システム１２０の中に流動しないように遮断するように設計される。
【００８９】
図１０は、濾過システム４００を据え付けるための例示的方法４３０を図示する、フローチャートである。いくつかの実施形態では、方法４３０は、動作４３２および４３４を含む。
【００９０】
動作４３２では、濾過デバイス１０２は、混合チャンバ１４０の出口１４４（例えば、出口ポート４０２）と接続される流管１３６の端部にまたはそれに隣接して、流管１３６内に固着される。代替として、濾過デバイス１０２は、混合チャンバ１４０の出口ポート４０２内に固着される。
【００９１】
いくつかの実施形態では、濾過デバイス１０２は、流管１３６または出口ポート４０２内に締まり嵌めされる。例えば、流管１３６は、１つまたはそれを上回る可撓性材料から作製され、濾過デバイス１０２は、流管１３６の内径より若干大きい直径を有するように定寸される。他の実施形態では、流管１３６または出口ポート４０２は、図１５に説明されるように、濾過デバイス１０２を定位置に固着するためのフィルタ支持部分４９０を提供する。さらに他の実施形態では、濾過デバイス１０２は、図１８に説明されるように、混合チャンバ１４０内の出口ポート４０２の上方に接合される。
【００９２】
動作４３４では、流管１３６の端部は、混合チャンバ１４０の出口１４４（例えば、出口ポート４０２）と係合される。
【００９３】
図１１−１３を参照すると、例示的濾過デバイス１０２が、説明される。
【００９４】
図１１は、例示的濾過デバイス１０２を図式的に図示する。本実施例では、濾過デバイス１０２は、その中に形成される複数の開口４５２を含む、本体４５０を含む。
【００９５】
いくつかの実施形態では、濾過デバイス１０２の本体４５０は、混合チャンバ１４０からの流路の内側に嵌合する、円形ディスク篩として形成される。本体４５０は、典型的には、ステンレス鋼金属のシート等の材料片から形成される。本体４５０の一実施例は、米国試験材料協会（ＡＳＴＭ）Ａ６６６規格に従って、３１６ステンレス鋼から作製される。他の材料も、流体回路１３０を通して通過される材料に暴露されるとき、そのような材料が有意に腐食または別様に劣化しないことを前提として、使用されることができる。可能性として考えられる材料の他の実施例は、ガラスおよびプラスチックである。
【００９６】
開口４５２は、サンプル分析システム１２０の開口３２０を目詰まりさせる可能性が高い大き過ぎる粒子が通過しないように遮断するために十分に小さく定寸されるが、着目粒子を遮断しないように十分に大きく定寸される。
【００９７】
開口４５２は、任意の所望の形状を有することができる。本実施例では、開口４５２は、円形断面形状を有する。円形断面形状の利点は、実質的に一定断面距離を有するということである。円形断面形状の別の利点は、そうでなければそれを通して通過する粒子を損傷させ得る、鋭的角を低減させることである。しかしながら、他の実施形態は、三角形、正方形、長方形、五角形、または異なる形状等、他の形状を有する、開口４５２を含む。いくつかの実施形態では、開口４５２の縁を形成する壁は、平滑である。
【００９８】
複数の開口４５２は、開口４５２のうちの１つが大き過ぎる粒子によって遮断されることになるときでも、他の開口４５２のうちの１つまたはそれを上回るものが開放されたままであることにより、サンプルの継続流を可能にするように提供される。典型的には、より多数の開口４５２が、好ましいが、本体１７２のサイズおよび開口形成技法の精度によって限定される。より多数の開口を有する利点は、より多数の大き過ぎる粒子が、濾過デバイス１０２を目詰まりさせずに、濾過デバイス１０２によって閉じ込められることができることである。
【００９９】
図１２は、例示的濾過デバイス１０２の正面図である。上記に説明されるように、例示的濾過デバイス１０２は、本体４５０と、開口４５２とを含む。
【０１００】
本実施例では、本体４５０は、幅Ｗ１（その結果、また、高さおよび直径）を有する、円形断面形状を有する。幅Ｗ１は、濾過デバイス１０２が流管１３６内に締まり嵌めされるように、濾過デバイス１０２が固着される流管１３６の内径より若干大きいように定寸される。他の実施形態は、所望に応じて、他の断面形状を有する。本体４５０は、種々の可能性として考えられる形状およびサイズを有することができる。いくつかの実施形態では、本体４５０は、約０．０５インチ〜約０．２インチの範囲内の幅Ｗ１を有する。別の例示的実施形態では、本体４５０は、±０．００２インチの公差を伴う、約０．０９４インチの幅Ｗ１を有する。
【０１０１】
開口４５２は、本体４５０を通して延在する。いくつかの実施形態では、開口４５２は、開口形成プロセスによって、本体４５０内に形成される。開口形成プロセスの実施例は、レーザ穿孔である。開口形成プロセスの別の実施例は、フォトリソグラフィを伴う。
【０１０２】
上記に説明されるように、本体４５０のサイズおよび開口形成技法の精度の範囲において、可能な限り多くの開口４５２を有することが好ましい。いくつかの実施形態では、濾過デバイス１０２は、約１００〜３００個の開口を有するように作製される。他の実施形態では、濾過デバイス１０２は、約１５０〜１８０個の開口を有する。さらに他の実施形態では、濾過デバイス１０２は、約１６７個の開口を有する。
【０１０３】
いくつかの実施形態では、本体４５０は、本体４５０の縁４５６に沿って部分的開口４５４を有する。部分的開口４５４は、本体４５０が開口４５２をその上に形成するために処理されるにつれて、必然的に形成されることができる。部分的開口４５４はまた、濾過デバイス１０２が流管１３６（または混合チャンバ１４０の出口ポート１４４）内に固着され、縁４５６が流管１３６（または出口ポート１４４）の内周と当接されると、大き過ぎる粒子が濾過デバイス１０２を通して通過しないように遮断するように動作する。したがって、部分的開口４５４は、濾過デバイス１０２の濾過効果を増加させることができる。例えば、部分的開口４５４は、本体４５０の縁４５６と濾過デバイス１０２が固着される流管１３６の内径との間の界面に生じ得る、残渣蓄積（大き過ぎる粒子を伴う）を低減させることができる。
【０１０４】
いくつかの実施形態では、開口４５２は、断面距離Ｌ１を有する。図示される実施例では、開口４５２は、距離Ｌ１が直径でもあるような円形断面を有する。しかしながら、他の実施形態は、他の断面形状を有することができる。いくつかの実施形態では、断面距離Ｌ１は、最大断面距離である。
【０１０５】
断面距離Ｌ１は、サンプル分析システム１２０の開口３２０を目詰まりさせ得る大き過ぎる粒子を遮断する一方、他のより小さい粒子が通過することを可能にするように選択される。特に、開口３２０の断面距離は、サンプル分析システム１２０によって分析されるべき粒子の断面距離未満である（または少なくともそれを有意に下回る）べきではない。
【０１０６】
いくつかの例示的寸法が、ここで説明されるであろうが、他の実施形態は、他の寸法を有することができる。一実施例として、サンプル分析システム１２０は、５０〜１００ミクロンの断面距離Ｌ（図７に示される）を伴う、開口３２０を有し、３０ミクロンまたはそれ未満の断面を有する、粒子を分析するために利用される。本実施例では、濾過デバイス１０２は、断面距離Ｌより小さいまたはそれと等しいように定寸される、開口４５２を有するが、また、分析されるべき粒子の断面より大きく定寸される、開口４５２も有するように構成される。そのようなより大きい開口は、硬質栓を生じさせ得、除去のために複数回の試行を要求し得る、大粒子を除去するために適切であり得る。例えば、断面距離Ｌ１は、約５０ミクロン（０．００１９７インチ）〜約１００ミクロン（０．００３９４インチ）の範囲内または約７０ミクロン（０．００２７６インチ）〜約８０ミクロン（０．００３１５インチ）の範囲内、好ましくは、±１５．２４ミクロン（０．００３０インチ±０．０００６インチ）の公差を伴う、約７６．２０ミクロンである。
【０１０７】
開口４５２は、所定の開口間隔距離Ｌ２で離間される。いくつかの実施形態では、隣接する開口４５２の中心間で測定され得る、開口間隔距離Ｌ２は、約０．００１インチ〜約０．０１インチの範囲である。他の実施形態では、開口間隔距離Ｌ２は、約０．００５インチ〜約０．００８インチの範囲である。さらに他の実施形態では、開口間隔距離Ｌ２は、約０．００７インチである。
【０１０８】
いくつかの実施形態では、濾過デバイス１０２は、約０．００６９平方インチの総表面積と、約０．００１５平方インチの総開放面積（開口４５２によって形成される）とを有するように構成される。他の総表面積および総開放面積も、他の実施形態では可能性として考えられる。
【０１０９】
濾過デバイス１０２は、所定のＲＯＢ数を有するように構成される。ＲＯＢ数は、フィルタ篩の遮断に対する相対的抵抗を示す。ＲＯＢ数が高いほど、遮断に対する抵抗が大きい。ＭＩＬ−ＳＴＤ−１２４６Ｃｌａｓｓ２００あたりの流体汚染レベルが、以下のように定義されたＲＯＢ数との比較の基礎として選定される。
【化１】
2019501374.tif 000003
【０１１０】
いくつかの実施形態では、濾過デバイス１０２は、約０．０４〜約０．０８のＲＯＢ数を有するように構成される。他の実施形態では、濾過デバイス１０２のＲＯＢ数は、約０．０５〜約０．０７の範囲である。さらに他の実施形態では、濾過デバイス１０２のＲＯＢ数は、約０．０６３である。
【０１１１】
濾過デバイス１０２は、所定のＬｏｈｍ率を有するように構成される。Ｌｏｈｍ率は、流体流に対する抵抗の測定を示す。Ｌｏｈｍ率は、１Ｌｏｈｍが、８０°Ｆの温度における２５ｐｓｉの圧力降下に伴って、１００ガロン／分の水を流動させるであろうようなものとして定義される。言い換えると、Ｌｏｈｍは、以下のように定義される。
【化２】
2019501374.tif 000004
【０１１２】
いくつかの実施形態では、濾過デバイス１０２は、約１００〜約５００であって、最大１０００のＬｏｈｍ率を有するように構成される。他の実施形態では、濾過デバイス１０２のＬｏｈｍは、約２００〜約４００の範囲である。さらに他の実施形態では、濾過デバイス１０２のＬｏｈｍは、約３００である。
【０１１３】
いくつかの実施形態では、本体４５０の表面は、本体４５０が３２√ＭＡＸの表面仕上げを有するように仕上げられる。さらに、本体４５０は、ＡＳＴＭＡ９６７規格に従って不動態化される。本体４５０は、部分的開口４５４が位置する本体４５０の外径の周囲を除き、開口４５２の周囲にバリがないように処理される。
【０１１４】
開口サイズならびに他の寸法および公差を選択するためのプロセスは、濾過デバイス１０２が設置された経路を通して進行するであろう、大き過ぎる粒子の最高集団のサイズ範囲に依存する。濾過デバイス１０２の有効性を最適化するために、濾過デバイス１０２によって保護されるべき開口３２０の寸法は、濾過デバイス１０２の開口４５２のサイズを調節するように考慮されるべきである。
【０１１５】
図１３は、図１２に示される断面Ａ−Ａに沿って得られた例示的濾過デバイス１０２の断面側面図である。濾過デバイス１０２は、本体４５０と、開口４５２とを含む。
【０１１６】
図１２を参照して本明細書により詳細に議論される、開口４５２の断面距離Ｌ１はまた、図１３でも可視である。
【０１１７】
加えて、図１３は、開口４５２の長さＬ３でもある、本体４５０の厚さを図示する。いくつかの実施形態では、長さＬ３は、開口４５２の断面距離Ｌ１に類似する。例えば、開口４５２は、約１の長さ（Ｌ３）対断面距離（Ｌ１）の比率を有する。いくつかの実施形態では、本体４５０の厚さＬ３は、約０．００１９インチ〜約０．００４０インチ）の範囲である。他の実施形態では、厚さＬ３は、約０．００２７インチ〜約０．００３２インチの範囲である。さらに他の実施形態では、厚さＬ３は、約０．００２５インチ±０．００１０インチである。他の実施形態は、他の長さを有する。
【０１１８】
いくつかの実施形態では、開口４５２は、開口４５２が下流方向より上流方向において広くなるように、上流テーパ状部分４５８を含む。他の実施形態では、開口４５２はさらに、開口４５２を下流方向により広くする、下流テーパ状部分４６０を含む。
【０１１９】
図１４−１７を参照すると、例示的流管１３６が、説明される。特に、図１４および１５は、例示的流管１３６を図示し、図１６および１７は、別の例示的流管１３６を図示する。
【０１２０】
図１４は、例示的流管１３６の概略斜視図である。本実施例では、流管１３６は、ＮＲＢＣ混合チャンバ（例えば、第１の混合チャンバ２７０）と併用されるように構成される。いくつかの実施形態では、流管１３６は、管類４７０の一端に端部継手４７２を伴う、管類４７０を含む。端部継手４７２は、管類４７０の一端に固着され、混合チャンバ１４０の出口ポート１４４と係合されるように構成される。
【０１２１】
流管１３６は、１つまたはそれを上回る可撓性材料から作製される。いくつかの実施例では、流管１３６は、ポリウレタンエラストマから作製される。
【０１２２】
図１５は、図１４の流管１３６の断面図であり、流管１３６の長さに沿って得られたものである。説明されるように、流管１３６は、管類４７０と、端部継手４７２とを含む。
【０１２３】
いくつかの実施形態では、管類４７０は、約０．０５０インチ〜約０．１２０インチの範囲の外径Ｄ５を有するように定寸される。他の実施形態では、管類４７０は、約０．０９０インチの外径Ｄ５を有する。
【０１２４】
管類４７０は、管類４７０の長さに沿ってフローチャネル４７４を画定する。いくつかの実施形態では、フローチャネル４７４は、約０．０２０インチ〜約０．０４０インチの内径Ｄ６を有する。他の実施形態では、フローチャネル４７４の内径Ｄ６は、約０．０３０±０．００２インチである。
【０１２５】
図示されるように、端部継手４７２は、管類４７０の端部に係合する。いくつかの実施形態では、端部継手４７２は、第１の端部４７６と、第１の端部４７６と反対の第２の端部４７８とを有する。端部継手４７２は、管類４７０の端部を受容および固着するように構成される、管類係合部分４８０を第１の端部４７６に画定する。いくつかの実施形態では、端部継手４７２および管類４７０は、一体的に形成される。
【０１２６】
端部継手４７２は、その第２の端部４７８において、混合チャンバ１４０の出口ポート１４４と係合されるように構成される。端部継手４７２は、出口受容部分４８２を画定し、その少なくとも一部は、混合チャンバ１４０の出口ポート１４４を受容および固着するように構成される。出口受容部分４８２は、混合チャンバ１４０の出口ポート１４４を密閉して固着するように適合される、内径Ｄ７を有する。いくつかの実施形態では、出口受容部分４８２の内径Ｄ７は、約０．０７インチ〜約０．０８インチの範囲である。他の実施形態では、内径Ｄ７は、約０．０８１インチである。
【０１２７】
端部継手４７２は、約０．１００インチ〜約０．２００インチの範囲であり得る、外径Ｄ８を有する。いくつかの実施形態では、端部継手４７２の外径Ｄ８は、約０．１４０インチである。
【０１２８】
いくつかの実施形態では、端部継手４７２の内径Ｄ７は、管類４７０の内径Ｄ６より大きいように構成される。そのような構成では、端部継手４７２内に画定されたフローチャネル４８４は、漏斗部分４８６を介して、管類４７０のフローチャネル４７４に遷移することができる。漏斗部分４８６は、端部継手４７２のフローチャネル４８４から管類４７０のフローチャネル４７４へと直径を下流方向に徐々に減少させるテーパ状表面を提供する。漏斗部分４８６は、混合チャンバ１４０の底部に対して押し上げられる。さらに、漏斗部分４８６は、汚染物質が粘着し得る、角または鋭的縁を低減させ、それによって、篩分効果を増加させ、濾過システム４００の清掃をより容易にする。
【０１２９】
フィルタ支持部分４９０が、端部継手４７２に提供され、濾過デバイス１０２をその中に固着させることができる。いくつかの実施形態では、フィルタ支持部分４９０は、端部継手４７２の内側表面の円周の周囲に形成される、溝４９２を含む。いくつかの実施形態では、フィルタ支持部分４９０は、フローチャネル４８４の内側表面上または漏斗部分４８６の辺縁に画定される（図１５に示されるように）。フィルタ支持部分４９０は、濾過デバイス１０２をその中に締まり嵌めさせるように定寸されることができる。いくつかの実施形態では、フィルタ支持部分４９０は、約０．０６０インチ〜約０．１００インチの範囲の直径Ｄ９を有する。他の実施形態では、フィルタ支持部分４９０の直径Ｄ９は、約０．０８７インチ±０．００２インチである。フィルタ支持部分４９０は、約０．００３インチ〜約０．０１０インチの範囲の厚さＬ５を有する。他の実施形態では、フィルタ支持部分４９０の厚さＬ５は、約０．００５インチ±０．００２インチである。
【０１３０】
図１６は、別の例示的流管１３６の概略斜視図である。本実施例では、流管１３６は、ＮＲＢＣ混合チャンバ（例えば、第１の混合チャンバ２７０）と併用されるように構成される。流管１３６は、本実施例では、図１４に図示されるような流管１３６と同様に構成されるが、第２の端部継手５００を除く。特に、流管１３６は、管類４７０を含み、第１の端部継手４７２および第２の端部継手５００を管類４７０の両端に伴う。管類４７０および第１の端部継手４７２は、それらの図１４および１５に説明されるものと同一であって、したがって、管類４７０および第１の端部継手４７２の説明は、簡潔目的のために省略される。
【０１３１】
第２の端部継手５００は、第１の端部継手４７２の反対の管類４７０の他端に固着され、器具１００内の所定の構成要素と係合されるように構成される。いくつかの実施例では、第２の端部継手５００は、分配システム１１８に提供される、ポートに係合するように適合される。他の実施例では、第２の端部継手５００は、サンプル分析システム１２０に提供されるポートに固着されるように構成される。第２の端部継手５００は、他の実施形態では、他の構成要素と係合されるように構成される。
【０１３２】
図１７は、流管１３６の長さに沿って得られた図１６の流管１３６の断面図であって、流管１３６を伴う第２の端部継手５００をより詳細に図示する。
【０１３３】
本実施例では、第２の端部継手５００は、図１４および１５に図示されるように、第１の端部継手４７２と同様に構成される。第２の端部継手５００は、第１の端部５０２と、第１の端部５０２と反対の第２の端部５０４とを有する。
【０１３４】
第２の端部継手５００は、管類４７０の端部を受容および固着するように構成される、管類係合部分５０６を第１の端部５０２に画定する。いくつかの実施形態では、第２の端部継手５００は、管類４７０と一体的に形成される。第２の端部継手５００は、その第２の端部５０４において、構成要素のポートと係合されるように構成される。
【０１３５】
第２の端部継手５００は、ポート受容部分５０８を画定し、その少なくとも一部は、構成要素のポートを受容および固着するように構成される。ポート受容部分５０８は、構成要素のポートを密閉して固着するように適合される、内径Ｄ１０を有する。いくつかの実施形態では、ポート受容部分５０８の内径Ｄ１０は、約０．０３インチ〜約０．０８インチの範囲である。他の実施形態では、内径Ｄ１０は、約０．０５２インチである。
【０１３６】
第２の端部継手５００は、約０．１００インチ〜約０．２００インチの範囲であり得る、外径Ｄ１１を有する。いくつかの実施形態では、第２の端部継手５００の外径Ｄ１１は、約０．１４０インチである。
【０１３７】
いくつかの実施形態では、第２の端部継手５００の内径Ｄ１０は、管類４７０の内径Ｄ６より大きいように構成される。そのような構成では、管類４７０のフローチャネル４７４は、テーパ状部分５１２を介して、第２の端部継手５００内に画定されたフローチャネル５１０に遷移することができる。テーパ状部分５１２は、管類４７０のフローチャネル４７４から第２の端部継手５００のフローチャネル５１０に下流方向に直径を徐々に増加させる、テーパ状表面を提供する。
【０１３８】
図１８は、濾過デバイス１０２を含む、濾過システム３００の別の実施例を図式的に図示する。本実施例では、濾過デバイス１０２は、混合チャンバ１４０の出口１４４に配列される。特に、フィルタデバイス１０２は、混合チャンバ１４０内の出口１４４の端部に位置付けられる。濾過デバイス１０２は、種々の様式において混合チャンバ１４０に固着されることができる。いくつかの実施形態では、濾過デバイス１０２は、混合チャンバ１４０内の出口１４４の上方に接合される。
【０１３９】
上記に説明される種々の実施例および教示は、例証としてのみ提供され、本開示の範囲を限定するものと解釈されるべきではない。当業者は、本明細書に図示および説明される実施例ならびに用途に従わずに、かつ本開示の真の精神および範囲から逸脱することなく行われ得る、種々の修正ならびに変化を容易に認識するであろう。
【図１】
2019501374.tif 000005
【図２】
2019501374.tif 000006
【図３】
2019501374.tif 000007
【図４】
2019501374.tif 000008
【図５】
2019501374.tif 000009
【図６】
2019501374.tif 000010
【図７】
2019501374.tif 000011
【図８】
2019501374.tif 000012
【図９】
2019501374.tif 000013
【図１０】
2019501374.tif 000014
【図１１】
2019501374.tif 000015
【図１２】
2019501374.tif 000016
【図１３】
2019501374.tif 000017
【図１４】
2019501374.tif 000018
【図１５】
2019501374.tif 000019
【図１６】
2019501374.tif 000020
【図１７】
2019501374.tif 000021
【図１８】
2019501374.tif 000022
【国際調査報告】
2019501374.tif 000023
2019501374.tif 000024
2019501374.tif 000025